(57)【要約】  短時間で掛け軸を掛けなければならないときでも、掛け軸を損傷させずに掛け軸を飾ることができ、さらには、掛け軸を飾る際に人間の手が接触することによって発生する損傷を防止する掛け軸支持装置を提供する。掛け軸１０１を掛ける掛け軸支持装置１は、掛け軸１０１が載置されるベース部１１と、ベース部１１に立設された支柱２１と、この支柱２１に沿ってフック３１を昇降させる昇降装置４１と、を備え、昇降装置４１は、支柱２１内部の上端に設けられた第１のプーリ４２と、ベース部１１の内部に設けられた第２のプーリ４３と、第１のプーリ４２及び第２のプーリ４３に巻きつけられフック３１が取り付けられたチェーン４４と、第２のプーリ４３を回転駆動させる駆動装置４５と、を備えている。【特許請求の範囲】
【請求項１】
掛け軸を掛ける掛け軸支持装置であって、前記掛け軸が載置されるベース部と、前記ベース部に立設された支柱と、当該支柱に沿ってフックを昇降させる昇降装置と、を備え、
前記昇降装置は、前記支柱内部の上端に設けられた第１のプーリと、前記ベース部の内部に設けられた第２のプーリと、前記第１のプーリ及び前記第２のプーリに巻きつけられ前記フックが取り付けられた動力伝動帯と、前記第２のプーリを回転駆動させる駆動装置と、を備えていることを特徴とする掛け軸支持装置。
【請求項２】
請求項１に記載の掛け軸支持装置において、
前記昇降装置は、前記駆動装置を制御する駆動制御装置を備え、
当該駆動制御装置は、前記第２のプーリを所定の速度で回転駆動させることを特徴とする掛け軸支持装置。
【請求項３】
請求項１又は２に記載の掛け軸支持装置において、
前記昇降装置は、所定の数値を入力する入力装置を備え、
前記駆動制御装置は、前記ベース部から前記フックまでの高さが、前記入力装置に入力された所定の数値となったときに、前記第２のプーリの回転駆動を停止させることを特徴とする掛け軸支持装置。
【請求項４】
請求項３に記載の掛け軸支持装置において、
前記駆動制御装置は、前記第２のプーリの回転速度を徐々に減速させることにより、前記第２のプーリの回転駆動を停止させることを特徴とする請求項３に記載の掛け軸支持装置。
【発明の詳細な説明】
【技術分野】
【０００１】
本発明は、美術品、文化財、地図、タペストリー等の掛け軸を掛ける掛け軸支持装置に関するものである。
【背景技術】
【０００２】
従来、掛け軸を床の間や壁に飾る（吊り下げる）ときには、フックと呼ばれる鉤形状の金具が利用されている（例えば、特許文献１参照。）。このフックは、床の間や壁に固定される。この固定されたフックに掛け軸を吊り下げる作業は、次のようになる。まず、固定されたフックに掛け軸の掛け紐を引っ掛けて、次に、掛け軸の下端を手で支持しながら、掛け軸を徐々に下降させていく。このように、掛け軸が損傷するのを回避するため、フックに掛け軸を吊り下げる作業には、丁寧さが要求される。
【特許文献１】特開平１１−７６０２０号公報
【発明の開示】
【発明が解決しようとする課題】
【０００３】
しかしながら、短時間で掛け軸を掛けなければならない場合には、掛け軸を徐々に下降させていく時間がないため、丁寧に作業することができない。このため、短時間で掛け軸を掛けなければならない場合には、掛け軸を一気に下降させて広げる場合がある。この場合、文字や絵が描かれている紙の部分（掛け軸本体）に強い張力が作用するため、掛け軸本体が損傷しかねない。また、掛け軸が広がった瞬間に掛け軸の掛け紐がフックから外れ、掛け軸が落下するおそれもある。さらに、掛け軸の重量が掛け紐に集中するため、掛け紐が切断されてしまうおそれもある。【０００４】
また、掛け軸の下端を手で支持しながら丁寧に掛け軸を広げる場合でも、人間の手が広い面積で掛け軸に接触するので、広い範囲で掛け軸が損傷してしまう。さらに、同じ掛け軸を繰り返し飾ると、人間の手が頻繁に接触する部分は、時が経過するにつれて、他の部分よりも損傷がひどくなってくる。【０００５】
本発明は、上述したような課題に鑑みてなされたものである。本発明の第１の目的は、短時間で掛け軸を掛けなければならないときでも、掛け軸を損傷させずに掛け軸を飾ることができる掛け軸支持装置を提供することである。本発明の第２の目的は、掛け軸を飾る際に人間の手が接触することによって発生する損傷を防止する掛け軸支持装置を提供することである。
【課題を解決するための手段】
【０００６】
以上のような目的を達成するために、本発明は、以下のようなものを提供する。【０００７】
（１）  掛け軸を掛ける掛け軸支持装置であって、前記掛け軸が載置されるベース部と、前記ベース部に立設された支柱と、当該支柱に沿ってフックを昇降させる昇降装置と、を備え、前記昇降装置は、前記支柱内部の上端に設けられた第１のプーリと、前記ベース部の内部に設けられた第２のプーリと、前記第１のプーリ及び前記第２のプーリに巻きつけられ前記フックが取り付けられた動力伝動帯と、前記第２のプーリを回転駆動させる駆動装置と、を備えていることを特徴とする掛け軸支持装置。【０００８】
（１）の発明によれば、昇降装置を、支柱の内部の上端に設けられた第１のプーリと、ベース部の内部に設けられた第２のプーリと、第１のプーリ及び第２のプーリに巻きつけられフックが取り付けられた動力伝動帯と、第２のプーリを回転駆動させる駆動装置とで構成する。この昇降装置の使用方法は次のようになる。まず、掛け軸の掛け紐をフックに引っ掛けて、駆動装置を駆動させる。すると、駆動装置が第２のプーリを回転駆動させて、第２のプーリに巻きつけられた動力伝動帯を介してフックが上方に移動し、掛け軸が吊り上げられることになる。従って、掛け軸をベース部に載置して、掛け紐をフックに引っ掛け、駆動装置を駆動させるだけで、掛け軸を飾ることができる。このため、短時間で掛け軸を掛けなければならない場合でも、掛け軸を損傷させずに掛け軸を飾ることができる。また、人間の手が接触する面積を減らすことができるので、掛け軸を飾る際に発生する掛け軸の損傷を防止できる。【０００９】
（２）  （１）に記載の掛け軸支持装置において、前記昇降装置は、前記駆動装置を制御する駆動制御装置を備え、当該駆動制御装置は、前記第２のプーリを所定の速度で回転駆動させることを特徴とする掛け軸支持装置。【００１０】
（２）の発明によれば、第２のプーリを所定の速度で回転駆動させる駆動制御装置を設ける。従って、掛け軸を吊り上げるときの速度が一定になり、掛け軸本体に部分的に強い張力が作用することを防止できる。このため、掛け軸を飾る際に発生する掛け軸の損傷を防止できる。【００１１】
（３）  （１）又は（２）に記載の掛け軸支持装置において、前記昇降装置は、所定の数値を入力する入力装置を備え、前記駆動制御装置は、前記ベース部から前記フックまでの高さが、前記入力装置に入力された所定の数値となったときに、前記第２のプーリの回転駆動を停止させることを特徴とする掛け軸支持装置。【００１２】
（３）の発明によれば、昇降装置に、所定の数値を入力する入力装置を設け、駆動制御装置は、ベース部からフックまでの高さが、入力装置に入力された所定の数値となったときに、第２のプーリの回転駆動を停止させる。従って、入力した所定の数値に応じて、掛け軸を吊り上げる高さを任意に設定することができるので、掛け軸を吊り上げた後の高さの微調整を省略することができる。【００１３】
（４）  （３）に記載の掛け軸支持装置において、前記駆動制御装置は、前記第２のプーリの回転速度を徐々に減速させることにより、前記第２のプーリの回転駆動を停止させることを特徴とする（３）に記載の掛け軸支持装置。【００１４】
（４）の発明によれば、駆動制御装置は、第２のプーリの回転速度を徐々に減速させることにより、第２のプーリの回転駆動を停止させる。従って、第２のプーリに巻きつけられた動力伝動帯とともに、動力伝動帯に取り付けられたフックも徐々に減速して停止する。このため、掛け軸も徐々に減速して停止するので、減速されずに急に停止した場合に比べて、掛け軸の停止時に掛け軸の掛け紐が勢いあまってフックから外れ、掛け軸が落下することを防止できる。【００１５】
この発明によれば、昇降装置を、支柱の内部の上端に設けられた第１のプーリと、ベース部の内部に設けられた第２のプーリと、第１のプーリ及び第２のプーリに巻きつけられフックが取り付けられた動力伝動帯と、第２のプーリを回転駆動させる駆動装置とで構成する。この昇降装置の使用方法は次のようになる。まず、掛け軸の掛け紐をフックに引っ掛けて、駆動装置を駆動させる。すると、駆動装置が第２のプーリを回転駆動させて、第２のプーリに巻きつけられた動力伝動帯を介してフックが上方に移動し、掛け軸が吊り上げられることになる。従って、掛け軸をベース部に載置して、掛け紐をフックに引っ掛け、駆動装置を駆動させるだけで、掛け軸を飾ることができる。このため、短時間で掛け軸を掛けなければならない場合でも、掛け軸を損傷させずに掛け軸を飾ることができる。また、人間の手が接触する面積を減らすことができるので、掛け軸を飾る際に発生する掛け軸の損傷を防止できる。
【図面の簡単な説明】
【００１６】
【図１】本発明の第１の実施形態の掛け軸支持装置の斜視図である。
【図２】本発明の前記実施形態の掛け軸支持装置の斜視図である。
【図３】本発明の前記実施形態の掛け軸支持装置に掛けられる掛け軸の正面図である。
【図４】本発明の前記実施形態の掛け軸支持装置の断面図である。
【図５】本発明の前記実施形態の掛け軸支持装置の制御回路を示すブロック図である。
【図６】本発明の前記実施形態の掛け軸支持装置の入力装置の拡大図である。
【図７】本発明の前記実施形態の掛け軸支持装置の斜視図である。
【図８】本発明の前記実施形態の掛け軸支持装置の斜視図である。
【図９】本発明の第２の変形例の掛け軸支持装置の斜視図である。
【図１０】本発明の第３の変形例の掛け軸支持装置の断面図である。
【図１１】本発明の第４の変形例の掛け軸支持装置の斜視図である。
【符号の説明】
【００１７】
１    掛け軸支持装置
１１    ベース部
１３    セッタ
２１    支柱
３１    フック
４１    昇降装置
４２    第１のプーリ
４３    第２のプーリ
４４    チェーン
４５    ステッピングモータ
４６    駆動制御装置
４９    入力装置
【発明を実施するための形態】
【００１８】
［第１の実施形態］
以下に本発明の第１の実施形態について図面に基づいて説明する。
【００１９】
図１は、本実施形態の掛け軸支持装置１の斜視図、図２は、掛け軸支持装置１の斜視図、図３は、掛け軸１０１の正面図、図４は、掛け軸支持装置１の断面図である。
【００２０】
図１から図４に示すように、掛け軸支持装置１は、掛け軸１０１が載置されるベース部１１と、ベース部１１に立設された支柱２１と、この支柱２１に沿ってフックを昇降させる昇降装置４１と、ベース部１１上に設けられ、支柱２１を囲む透明壁６１と、前記支柱に支持されて透明壁６１で囲われた空間を覆う蓋７１と、を備えている。
【００２１】
本実施形態に係る掛け軸支持装置１は、家庭用、展示用にかかわらずどのような種類の掛け軸であっても掛けることができ、また、美術品、地図、タペストリー等のどのような種類の掛け軸であっても掛けることができる。
【００２２】
ここで、図３を用いて、掛け軸支持装置１に掛けられる掛け軸１０１について説明する。図３に示すように、掛け軸１０１は、文字や絵が描かれた上下方向に延びる矩形平板上掛け軸本体１０５と、この掛け軸本体１０５の下端に沿って水平方向に延びる円柱状の軸棒１０２と、掛け軸本体１０５の上端に沿って水平方向に延びる八双１０３と、この八双１０３に取り付けられる掛け紐１０４と、を備える。また、掛け軸１０１は、軸棒１０２の外周面周囲に掛け軸本体１０５を巻き付けて収納される。
【００２３】
図１および図２に戻って説明を続ける。ベース部１１は、掛け軸支持装置１の基部にある箱状であり、ベース部１１の内部には、後述する第２のプーリ４３、駆動装置としてのステッピングモータ４５および駆動制御装置４６等が設けられている。また、ベース部１１の上面部１２には、掛け軸１０１を載置させるためのセッタ１３が立設されている。セッタ１３に載置された掛け軸１０１の中心部は支柱２１の略正面に位置するため、掛け紐１０４をフック３１に掛けやすくなっている。
【００２４】
また、ベース部１１の内部には、透明壁６１の内側のセッタ１３に載置される掛け軸１０１を出し入れするための凹部１４がある。ベース部１１の正面部１５の上側には、凹部１４を通して掛け軸１０１を出し入れするための蓋部１６が蝶番１９を介して備えられている。蓋部１６は、蓋本体１７と、この蓋本体１７の上端に取り付けられた把手１８と、を備える。把手１８が手前方向に引っ張られると、蓋部１６が手前方向に折り曲がる。
【００２５】
また、ベース部１１の正面部１５の下側には、押圧操作によって所定の数値が入力される入力装置４９が設けられている。
【００２６】
また、支柱２１は、ベース部１１の上面部１２に立設されており、ベース部１１の内部には昇降装置４１を構成する第１プーリ４２や動力伝動帯としてのチェーン４４等が設けられている。また、チェーン４４にはフック３１が取り付けられており、このフック３１に掛け軸１０１の掛け紐１０４が引っ掛けられる。
【００２７】
図４に示すように、昇降装置４１は、支柱２１の内部の上端に設けられた第１のプーリ４２と、ベース部１１の内部に設けられたと第２のプーリ４３と、第１のプーリ４２及び第２のプーリ４３に巻きつけられフック３１が取り付けられたチェーン４４と、第２のプーリを回転駆動させる駆動装置としてのステッピングモータ４５と、ステッピングモータ４５を駆動するための所定の数値を入力する入力装置４９と、入力装置４９により入力された数値に基づいてステッピングモータ４５を制御する駆動制御装置４６と、チェーン４４を案内する第３のプーリ４７および第４のプーリ４８と、を備えている。
【００２８】
第２のプーリ４３は、ベース部１１の内部に設けられている。この第２のプーリ４３は、第１のプーリ４２と同様にチェーン４４が巻きつけられている。また、第２のプーリ４３は、ステッピングモータ４５のピニオン（図示せず）に噛合されている。
【００２９】
チェーン４４は、ベース部１１の内部に設けられた第２のプーリ４３および第３のプーリ４８と、支柱２１の内部に設けられた第１のプーリ４２と、に巻き回されている。
【００３０】
駆動装置としてのステッピングモータ４５は、ベース部１１の内部に設けられている。ステッピングモータ４５の駆動力は第２のプーリ４３を介してチェーン４４に伝達される。つまり、ステッピングモータ４５が回転駆動するとともに、第２のプーリ４３が回転駆動し、さらにチェーン４４も回転駆動する。そして、チェーン４４の回転駆動に伴って、チェーン４４に取り付けられたフック３１が上下運動する。
【００３１】
透明壁６１は、アクリル板やガラス板等の透明材料で形成されおり、突風や子供のいたずらから掛け軸１０１を保護している。
【００３２】
［掛け軸支持装置の電気的構成］
次に、掛け軸支持装置１の制御回路について詳細に説明する。図５は、本実施形態における掛け軸支持装置１の制御回路を示すブロック図である。
【００３３】
入力装置４９により入力された数値に基づいてステッピングモータ４５を制御する駆動制御装置４６は、ＣＰＵ（中央処理装置）９１、ＲＯＭ（読み出し専用メモリ）９２およびＲＡＭ（読み書き可能メモリ）９３等を備えている。ＣＰＵ９１は、ＲＯＭ９２およびＲＡＭ９３と接続されており、ＲＯＭ９２に記憶されたプログラムに従って、各種の処理を実行する。
【００３４】
また、駆動制御装置４６は、入力装置４９と接続しており、更に、モータ駆動制御回路９４を介してステッピングモータ４５と接続している。
【００３５】
ＲＯＭ９２には、ステッピングモータ４５をＣＰＵ９１により制御するためのプログラムが記憶されている。例えば、ステッピングモータ４５を所定の速度で駆動させた後、徐々に減速させ、ベース部１１のセッタ１３，１３間の中点からフック３１までの高さが入力装置４９に入力された所定の数値と同じになったときにステッピングモータ４５の駆動を停止させるプログラムがＲＯＭ９２に記憶されている。
【００３６】
尚、本実施形態においては、プログラム、テーブル等を記憶する媒体としてＲＯＭ９２を用いるように構成したが、コンピュータにより読み取り可能な記憶媒体であればこれに限らない。
【００３７】
ＲＡＭ９３は、ＣＰＵ９１の一時記憶領域として種々の変数の値を記憶する。例えば、入力装置４９（図１参照）によって入力された所定の数値に関するデータを記憶する。
【００３８】
モータ駆動制御回路９４は、ＣＰＵ９１より送信される所定のデータや所定の命令に基づいてパルス波を発生し、ステッピングモータ４５を駆動制御する。
【００３９】
入力装置４９について、図６を用いて説明する。図６は、入力装置４９の拡大図である。入力装置４９は、０〜９や小数点を入力する数字キー８１、数字キー８１によって入力された数字を表示する表示板８２、数字キー８１によって入力された数字を消去するクリアーキー８３、表示板８２に表示された数値を上下に微調整する微調整キー８４およびエンターキー８５を備えている。エンターキー８５は、押圧操作されることにより、駆動制御装置４６に操作を開始するデータを送信する。
【００４０】
掛け軸支持装置１で実行される処理は以下のとおりである。入力装置４９に所定の数値が入力された場合、入力装置４９は、所定の数値のデータを駆動制御装置４６に送信する。ＲＡＭ９３は、所定の数値のデータを受信して記憶する。さらに、入力装置４９のエンターキー８５が押圧されると、入力装置４９は、駆動開始信号を駆動制御装置４６に送信する。すると、ＣＰＵ９１は、ＲＯＭ９２に記憶されたプログラムを読み出して、ステッピングモータ４５を制御するためのプログラムに従って、ＲＡＭ９３に記憶されている所定の数値のデータおよび駆動開始信号を参照し、駆動開始命令と、所定の数値のデータと、ステッピングモータ４５の駆動速度のデータと、をモータ駆動制御回路９４に送信する。モータ駆動制御回路９４は、これら駆動開始命令、所定の数値のデータおよびステッピングモータ４５の駆動速度のデータを受信し、これらデータに基づいてパルス波を発生させ、ステッピングモータ４５を駆動させる。
【００４１】
そして、ステッピングモータ４５は、所定の速度で回転駆動し、その後所定の時点で徐々に減速を開始し、ベース部１１のセッタ１３，１３間の中点からフック３１までの高さが入力装置４９に入力された所定の数値と同じになったとき、駆動を停止する。
【００４２】
つまり、ＣＰＵ９１は、ステッピングモータ４５を所定の速度で回転駆動させるので、第２のプーリ４３は所定の速度で回転駆動することになる。従って、掛け軸１０１を吊り上げるときの速度が一定になり、掛け軸１０１本体に部分的に強い張力が作用することを防止できる。このため、掛け軸１０１を飾る際に発生する掛け軸１０１の損傷を防止できる。
【００４３】
また、ＣＰＵ９１は、ベース部１１のセッタ１３，１３間の中点からフック３１までの高さが入力装置４９に入力された所定の数値と同じになったとき、ステッピングモータ４５の駆動を停止させるので、ベース部１１からフック３１までの高さが、入力装置４９に入力された所定の数値になったときに、第２のプーリ４３の回転駆動を停止することになる。従って、入力した所定の数値に応じて、掛け軸１０１を吊り上げる高さを任意に設定することができるので、掛け軸１０１を吊り上げた後の高さの微調整を省略することができる。
【００４４】
また、ＣＰＵ９１は、ステッピングモータ４５を徐々に減速させることにより、ステッピングモータ４５の駆動を停止させるので、第２のプーリ４３の回転速度も徐々に減速することにより、第２のプーリの回転駆動も停止することになる。従って、第２のプーリ４３に巻きつけられたチェーン４４とともに、チェーン４４に取り付けられたフック３１も徐々に減速して停止する。このため、掛け軸１０１も徐々に減速して停止するので、減速されずに急に停止した場合に比べて、掛け軸１０１の停止時に掛け軸１０１の掛け紐１０４が勢いあまってフック３１から外れ、掛け軸１０１が落下することを防止できる。
【００４５】
なお、本実施形態においては、駆動装置としてステッピングモータ４５を用いたが、他のモータであってもよく、例えば、駆動装置として直流モータを用いてもよい。
【００４６】
［掛け軸支持装置の使用方法］
図１、図２、図４、図６から図８を用いて、入力装置４９を含めた掛け軸支持装置１の使用方法を説明する。図７は、蓋部１６が手前方向に開いている掛け軸支持装置１の斜視図である。図８は、蓋部１６が手前方向に開いており、さらにセッタ１３，１３に掛け軸１０１が載置されている掛け軸支持装置１の斜視図である。
【００４７】
まず、把手１８を手前方向に引っ張る。把手１８が手前方向に引っ張られると、図７に示すように、蓋部１６が手前方向に開くので、凹部１４を通して矢印Ａのように掛け軸１０１を入れ、この掛け軸１０１をセッタ１３，１３に載置する（図８参照）。掛け軸支持装置１のフック３１に掛け軸１０１の掛け紐１０４を引っ掛けて、把手１８をつまんで、手前方向に倒れていた蓋部１６を閉める。（図１参照）。次に、入力装置４９の数字キー８１を押圧操作して、所定の数値を入力する。表示板８２に所定の数値がｃｍ単位で表示される（図６参照）。このときの所定の数値としては、掛け軸１０１の縦寸法（掛け紐を含める）が入力される。そして、表示された数値を確認して、エンターキー８５を押圧すると、ステッピングモータ４５が駆動を開始する（図４参照）。ステッピングモータ４５が第２のプーリ４３を回転駆動させて、第２のプーリ４３に巻きつけられたチェーン４４を介してフック３１が上方に移動し、掛け軸１０１が吊り上げられることになる。そして、ベース部１１のセッタ１３，１３間の中点からフック３１までの高さが所定の数値と同じになったとき、ステッピングモータ４５は駆動を停止する（図２参照）。
【００４８】
このように、掛け軸１０１をベース部１１のセッタ１３，１３に載置して、掛け軸１０１の掛け紐１０４をフック３１に引っ掛け、ステッピングモータ４５を駆動させるだけで、掛け軸１０１を飾ることができる。このため、短時間で掛け軸１０１を掛けなければならない場合でも、掛け軸１０１を損傷させずに掛け軸１０１を飾ることができる。また、人間の手が接触する面積を減らすことができるので、掛け軸１０１を飾る際に発生する掛け軸１０１の損傷を防止できる。
【００４９】
一方、掛け軸１０１を収納する場合は、入力装置４９に“０”を入力し、エンターキー８５を押圧すると、しばらくしてステッピングモータ４５が駆動を開始して、フック３１が下降してくる。そして、軸棒１０２の両端を持って回転させ、軸棒１０２の外周面周囲に掛け軸本体１０５を巻き付けて、掛け軸１０１を収納する。なお、セッタ１３，１３を自動巻取り装置にして、これを駆動制御装置４６で制御することにより、自動的に掛け軸１０１を収納できてもよい。
【００５０】
［変形例］
以上、本発明の第１の実施形態を説明したが、具体例を例示したに過ぎず、特に本発明を限定するものではない。
【００５１】
なお、本実施形態において、図１に示すように、掛け軸１０１を載置させるためのセッタ１３，１３間の長さは一定であるが、本発明はこれに限らない。つまり、軸棒１０２の長さに応じてセッタ１３，１３を移動できる構造としてもよい。このような構造にすることによって、セッタ１３，１３間の長さを変更できるため、幅の異なる多種類の掛け軸を掛けることができる。
【００５２】
また、本実施形態において、図１に示すように、掛け軸１０１を載置させるためのセッタ１３がベース部に立設されているが、本発明はこれに限らない。つまり、掛け軸１０１を載置させるものであればどのような構造であってもよく、例えば、図９に示すように、ベース部１１に掛け軸１０１を載置することができる半円筒状の凹陥部２０を設けてもよい。
【００５３】
また、本実施形態において、図２に示すように、第２のプーリ４３は、チェーン４４に巻きつけられ、第２のプーリ４３が回転駆動するとともに、チェーン４４も回転駆動する構造となっているが、本発明はこれに限らない。例えば、図１０に示すように、ステッピングモータ４５に連結されてた巻き上げ機５１によって、チェーン４４が巻き上げられ、または巻き出されることにより、チェーン４４が上下に駆動する構造としてもよい。
【００５４】
また、本発明においては、第３のプーリ４７および第４のプーリ４８（図４参照）を使用しない構造としてもよく、その場合の構造としては、第１のプーリ４２と、第２のプーリ４３と、が対向して設けられる。
【００５５】
また、本発明においては、チェーン４４ばかりでなく、第２のプーリ４３の駆動力を伝達できる動力伝動帯であればでも何でもよく、ベルトや紐等でもよい。
【００５６】
また、本発明においては、蓋部１６が閉じている場合、蓋部１６と透明壁６１とベース部１１で囲われた空間は、密封状態になる（図１参照）。従って、掛け軸支持装置１は内部の空気を窒素置換する空気調整装置を備えてもよい。このような空気調整装置を備えることによって、掛け軸１０１が酸素に触れないため、酸化による掛け軸１０１の劣化を防止できる。
【００５７】
なお、本実施形態においては、図１１の示すような掛け軸支持装置１１１のように、透明壁６１や蓋７１を省略してもよい。
【図１】
2006001155.tif 000002
【図２】
2006001155.tif 000003
【図３】
2006001155.tif 000004
【図４】
2006001155.tif 000005
【図５】
2006001155.tif 000006
【図６】
2006001155.tif 000007
【図７】
2006001155.tif 000008
【図８】
2006001155.tif 000009
【図９】
2006001155.tif 000010
【図１０】
2006001155.tif 000011
【図１１】
2006001155.tif 000012
【国際調査報告】
2006001155.tif 000013
2006001155.tif 000014
2006001155.tif 000015
2006001155.tif 000016